(57)【特許請求の範囲】
【請求項１】
ａ．共通電極と、
ｂ．列方向に配列される複数の走査線｛Ｇn｝（ただしｎ＝１,２,…,Ｎであり）と、
ｃ．前記複数の走査線｛Ｇn｝に交差し、かつ前記列方向に垂直な行方向に配列される複数のデータ線｛Ｄm｝（ただしｍ＝１,２,…,Ｍであり）と、
ｄ.マトリクス状に配列される複数の画素｛Ｐｎ,ｍ｝（ただしｎ＝１,２,…,Ｎ、ｍ＝１,２,…,Ｍであり、かつＮおよびＭは０より大きい整数である）と、を含む液晶ディスプレイパネルであって、
前記複数の画素｛Ｐｎ,ｍ｝における各画素Ｐｎ,ｍは、少なくとも第１の副画素Ｐｎ,ｍ（１）および第２の副画素Ｐｎ,ｍ（２）を含んでおり、該第１の副画素Ｐｎ,ｍ（１）および第２の副画素Ｐｎ,ｍ（２）はそれぞれ副画素電極を有し、
各第１の副画素Ｐn,m（１）および各第２の副画素Ｐn,m（２）は、前記走査線Ｇnに電気的に接続されるゲート、前記副画素電極に電気的に接続されるソース、およびドレインを有するトランジスタを含み、
各画素Ｐn,mの前記第１の副画素Ｐn,m（１）のトランジスタのドレインが前記データ線Ｄmに電気的に接続され、各画素Ｐn,mの前記第２の副画素Ｐn,m（２）のトランジスタのドレインが各画素Ｐk,mの前記第１の副画素Ｐk,m（１）の副画素電極に電気的に接続され、ただしｋ＝ｎ+１またはｎ-1、かつｋ＝１,２,…,Ｎ、かつＮは０より大きい整数であり、または、各画素Ｐn,mの前記第２の副画素Ｐn,m（２）のトランジスタのドレインが前記データ線Ｄmに電気的に接続され、各画素Ｐn,mの前記第１の副画素Ｐn,m（１）のトランジスタのドレインが各画素Ｐk,mの前記第２の副画素Ｐk,m（２）の副画素電極に電気的に接続され、
画素Ｐｎ,ｍに表示される画像のグレースケール値ｇはグレースケール電圧と関連しており、前記グレースケール電圧を前記画素Ｐｎ,ｍに印加するとき、前記画素Ｐｎ,ｍの前記第１および第２の副画素の副画素電極に電位差ΔＶ１２（ｇ）が生じ、なお、該電位差が前記グレースケール値ｇに伴って変化するように前記複数の画素｛Ｐｎ,ｍ｝を配置し、
（ｉ）前記グレースケール値ｇが０からｇaの範囲にあるとき、前記グレースケール値ｇの電位差ΔＶ１２（ｇ）がグレースケール値（ｇ＋１）の電位差ΔＶ１２（ｇ＋１）より小さく、かつ
（ｉｉ）前記グレースケール値ｇがｇｂからＲの範囲にあるとき、前記グレースケール値ｇの電位差ΔＶ１２（ｇ）がグレースケール値（ｇ＋１）の電位差ΔＶ１２（ｇ＋１）より大きく、
ただしｇ＝０,１,２,…,Ｒであってｈビットで表示される前記画像のグレースケールの階調に対応し、ｈは０より大きい整数であって、Ｒ＝（２h−１）であり、０＜ｇａ≦ｇ
ｂ＜Ｒであり、かつｇａおよびｇｂはいずれも０より大きい整数であることを特徴とする液晶ディスプレイパネル。
【請求項２】
各画素Ｐｎ,ｍが隣り合う２本の走査線（ＧｎおよびＧｎ＋１）と隣り合う２本のデータ線（ＤｍおよびＤｍ＋１）との間に位置することを特徴とする請求項１に記載の液晶ディスプレイパネル。
【請求項３】
各画素Ｐｎ,ｍの前記第１の副画素Ｐｎ,ｍ（１）および第２の副画素Ｐｎ,ｍ（２）のそれぞれが、前記副画素電極と前記共通電極との間に電気的且つ並列に接続される液晶コンデンサおよび蓄積コンデンサと、前記走査線Ｇｎに電気的に接続されるゲート、前記副画素電極に電気的に接続されるソース、およびドレインを有するトランジスタと、をさらに含むことを特徴とする請求項２に記載の液晶ディスプレイパネル。
【請求項４】
ａ．共通電極と、
ｂ．列方向に配列される複数の走査線｛Ｇn｝（ただしｎ＝１,２,…,Ｎであり）と、
ｃ．前記複数の走査線｛Ｇn｝に交差し、かつ前記列方向に垂直な行方向に配列される複数のデータ線｛Ｄm｝（ただしｍ＝１,２,…,Ｍであり）と、
ｄ.マトリクス状に配列される複数の画素｛Ｐｎ,ｍ｝（ただしｎ＝１,２,…,Ｎ、ｍ＝１,２,…,Ｍであり、かつＮおよびＭは０より大きい整数である）と、を含む液晶ディスプレイパネルであって、
各画素Ｐｎ,ｍが少なくとも第１の副画素Ｐｎ,ｍ（１）および第２の副画素Ｐｎ,ｍ（２）を含んでおり、前記第１の副画素Ｐｎ,ｍ（１）および第２の副画素Ｐｎ,ｍ（２）はそれぞれ副画素電極を有し、
各第１の副画素Ｐn,m（１）および各第２の副画素Ｐn,m（２）は、前記走査線Ｇnに電気的に接続されるゲート、前記副画素電極に電気的に接続されるソース、およびドレインを有するトランジスタを含み、
各画素Ｐn,mの前記第１の副画素Ｐn,m（１）のトランジスタのドレインが前記データ線Ｄmに電気的に接続され、各画素Ｐn,mの前記第２の副画素Ｐn,m（２）のトランジスタのドレインが各画素Ｐk,mの前記第１の副画素Ｐk,m（１）の副画素電極に電気的に接続され、ただしｋ＝ｎ+１またはｎ-1、かつｋ＝１,２,…,Ｎ、かつＮは０より大きい整数であり、または、各画素Ｐn,mの前記第２の副画素Ｐn,m（２）のトランジスタのドレインが前記データ線Ｄmに電気的に接続され、各画素Ｐn,mの前記第１の副画素Ｐn,m（１）のトランジスタのドレインが各画素Ｐk,mの前記第２の副画素Ｐk,m（２）の副画素電極に電気的に接続され、
画素に表示される画像のグレースケール値ｇはグレースケール電圧と関連しており、前記グレースケール電圧を前記画素Ｐｎ,ｍに印加するとき、前記画素Ｐｎ,ｍの前記第１お
よび第２の副画素の副画素電極に電位差ΔＶ１２（ｇ）が生じ、かつ該電位差が前記グレースケール値ｇに伴って変化するように前記複数の画素｛Ｐｎ,ｍ｝を配置し、
（ｉ）前記グレースケール値ｇが０からｇａの範囲にあるとき、前記グレースケール値ｇの電位差ΔＶ１２（ｇ）が定電圧Ｖａを有し、
（ｉｉ）前記グレースケール値ｇがｇａからｇｂの範囲にあるとき、前記グレースケール値ｇの電位差ΔＶ１２（ｇ）が定電圧Ｖｂを有し、かつ
（ｉｉｉ）前記グレースケール値ｇがｇｂからＲの範囲にあるとき、前記グレースケール値ｇの電位差ΔＶ１２（ｇ）が定電圧Ｖｃを有し、
ただしｇ＝０,１,２,…,Ｒであってｈビットで表示される前記画像のグレースケールの階調に対応し、ｈは０より大きい整数で、Ｒ＝（２h−１）であり、０＜ｇａ≦ｇｂ＜Ｒ
であり、ｇａおよびｇｂはいずれも０より大きい整数であることを特徴とする液晶ディスプレイパネル。
【請求項５】
ａ．共通電極と、
ｂ．列方向に配列される複数の走査線｛Ｇn｝（ただしｎ＝１,２,…,Ｎであり）と、
ｃ．前記複数の走査線｛Ｇn｝に交差し、かつ前記列方向に垂直な行方向に配列される複数のデータ線｛Ｄm｝（ただしｍ＝１,２,…,Ｍであり）と、
ｄ.マトリクス状に配列される複数の画素｛Ｐｎ,ｍ｝（ただしｎ＝１,２,…,Ｎ、ｍ＝１,２,…,Ｍであり、かつＮおよびＭは０より大きい整数である）と、を含む液晶ディスプレイパネルであって、
前記複数の画素｛Ｐｎ,ｍ｝の各々が少なくとも第１の副画素Ｐｎ,ｍ（１）および第２の副画素Ｐｎ,ｍ（２）を含んでおり、該第１及び第２の副画素は、それぞれ副画素電極を有し、
各第１の副画素Ｐn,m（１）および各第２の副画素Ｐn,m（２）は、前記走査線Ｇnに電気的に接続されるゲート、前記副画素電極に電気的に接続されるソース、およびドレインを有するトランジスタを含み、
各画素Ｐn,mの前記第１の副画素Ｐn,m（１）のトランジスタのドレインが前記データ線Ｄmに電気的に接続され、各画素Ｐn,mの前記第２の副画素Ｐn,m（２）のトランジスタのドレインが各画素Ｐk,mの前記第１の副画素Ｐk,m（１）の副画素電極に電気的に接続され、ただしｋ＝ｎ+１またはｎ-1、かつｋ＝１,２,…,Ｎ、かつＮは０より大きい整数であり、または、各画素Ｐn,mの前記第２の副画素Ｐn,m（２）のトランジスタのドレインが前記データ線Ｄmに電気的に接続され、各画素Ｐn,mの前記第１の副画素Ｐn,m（１）のトランジスタのドレインが各画素Ｐk,mの前記第２の副画素Ｐk,m（２）の副画素電極に電気的に接続され、
画素に表示される画像のグレースケール値ｇはグレースケール電圧と関連しており、前記グレースケール電圧を前記画素Ｐｎ,ｍに印加するとき、前記画素Ｐｎ,ｍの前記第１お
よび第２の副画素の副画素電極に電位差ΔＶ１２（ｇ）が生じ、該電位差が前記画素に表示される前記画像のグレースケール値ｇに伴って変化するように前記複数の画素｛Ｐｎ,
ｍ｝を配置し、
ただしｇ＝０,１,２,…,Ｒであってｈビットで表示される前記画像のグレースケールの階調に対応し、ｈは０より大きい整数、Ｒ＝（２h−１）であることを特徴とする液晶デ
ィスプレイパネル。
【請求項６】
カラーウォッシュアウト（color  washout）を改善する液晶ディスプレイパネルの駆動方法であって、
ａ．液晶ディスプレイパネルを提供する工程を含み、該液晶ディスプレイパネルは、
（ｉ）共通電極と、
（ｉｉ）列方向に配列される複数の走査線｛Ｇn｝（ただしｎ＝１,２,…,Ｎである）と、
（ｉｉｉ）前記複数の走査線｛Ｇn｝に交差し、かつ前記列方向に垂直な行方向に配列される複数のデータ線｛Ｄm｝（ただしｍ＝１,２,…,Ｍである）と、
（ｉｖ）マトリクス状に配列される複数の画素｛Ｐｎ,ｍ｝（ただしｎ＝１,２,…,Ｎ、ｍ＝１,２,…,Ｍであり、かつＮおよびＭは０より大きい整数である）と、を含んでおり、
該複数の画素｛Ｐｎ,ｍ｝の各画素Ｐｎ,ｍが第１の副画素Ｐｎ,ｍ（１）および第２の副画素Ｐｎ,ｍ（２）を少なくとも含んでおり、かつ該第１及び第２の副画素はそれぞれ副画素電極を有し、
各第１の副画素Ｐn,m（１）および各第２の副画素Ｐn,m（２）は、前記走査線Ｇnに電気的に接続されるゲート、前記副画素電極に電気的に接続されるソース、およびドレインを有するトランジスタを含み、
各画素Ｐn,mの前記第１の副画素Ｐn,m（１）のトランジスタのドレインが前記データ線Ｄmに電気的に接続され、各画素Ｐn,mの前記第２の副画素Ｐn,m（２）のトランジスタのドレインが各画素Ｐk,mの前記第１の副画素Ｐk,m（１）の副画素電極に電気的に接続され、ただしｋ＝ｎ+１またはｎ-1、かつｋ＝１,２,…,Ｎ、かつＮは０より大きい整数であり、または、各画素Ｐn,mの前記第２の副画素Ｐn,m（２）のトランジスタのドレインが前記データ線Ｄmに電気的に接続され、各画素Ｐn,mの前記第１の副画素Ｐn,m（１）のトランジスタのドレインが各画素Ｐk,mの前記第２の副画素Ｐk,m（２）の副画素電極に電気的に接続されており、
ｂ．複数の駆動信号を前記液晶ディスプレイパネルに印加して、各画素の第１および第２の副画素の副画素電極に電位差ΔＶ１２（ｇ）を生成させ、かつ該電位差を前記画素に表示される画像のグレースケール値ｇに伴って変化させる工程を更に含み、
ただしｇ＝０,１,２,…,Ｒであってｈビットで表現される前記画像の階調に対応し、ｈは０より大きい整数であり、かつＲ＝（２h−１）であることを特徴とする駆動方法。
【請求項７】
ａ．０≦ｇ≦ｇａであるとき、ΔＶ１２（ｇ）＜ΔＶ１２（ｇ＋１）、かつ
ｂ．ｇｂ≦ｇ≦Ｒであるとき、ΔＶ１２（ｇ）＞ΔＶ１２（ｇ＋１）であり、
ただし０＜ｇａ≦ｇｂ＜Ｒであり、ｇａおよびｇｂはいずれも０より大きい整数であることを特徴とする請求項６に記載の駆動方法。
【請求項８】
ａ．０≦ｇ≦ｇａであるとき、ΔＶ１２（ｇ）＝Ｖａ、
ｂ．ｇａ≦ｇ≦ｇｂであるとき、ΔＶ１２（ｇ）＝Ｖｂ、かつ
ｃ．ｇｂ≦ｇ≦Ｒであるとき、ΔＶ１２（ｇ）＝Ｖｃであり、
ただし０＜ｇａ≦ｇｂ＜Ｒであり、ｇａおよびｇｂはいずれも０より大きい整数であり、Ｖａ、ＶｂおよびＶｃは定電圧であり、かつＶａ＞Ｖｂ＞Ｖｃであることを特徴とする請求項６記載の駆動方法。
【請求項９】
前記複数の駆動信号を生成する工程をさらに含むことを特徴とする請求項６に記載の駆動方法。
【発明の詳細な説明】
【技術分野】
【０００１】
本発明は液晶ディスプレイに関し、特に液晶ディスプレイ装置において、カラーウォッシュアウト（color  washout）を改善する液晶ディスプレイパネルに関する。
【背景技術】
【０００２】
液晶ディスプレイ（liquid  crystal  display,ＬＣＤ）は、低消費電力且つ高画質な画像表示ができるため、表示装置として汎用されている。液晶ディスプレイ装置は、複数の液晶セルおよび画素素子から構成される液晶ディスプレイパネルを含み、各画素素子は対応する液晶セルに接続され、かつ液晶コンデンサおよび蓄積コンデンサ、ならびに、液晶コンデンサおよび蓄積コンデンサに電気的に接続される薄膜トランジスタ（thin  film  transistor,ＴＦＴ）を含む。基本的に、これら画素素子は、複数の画素列（pixel  rows）と複数の画素行（pixel  columns）を有するマトリクス状に配列される。通常、走査信号がこれらの画素列に順次に印加されて、画素素子を一列ずつ連続的にオンにする。走査信号を画素列に印加して、該画素列における画素素子の対応する薄膜トランジスタをオンすると同時に、該画素列のソース信号（画像信号）を複数の画素行に印加して、該画素列の対応する液晶コンデンサと蓄積コンデンサを変化させる。これにより該画素列に対応する液晶セルを配向させて、光線の透過率を制御する。すべての画素列にこのプロセスを繰り返すことで、画像信号としてのソース信号を対応するすべての画素素子に供給して、画像信号を表示させる。
【０００３】
液晶分子（liquid  crystal  molecules）はその細長い特徴で、常にある特定方向に配列される。液晶ディスプレイパネルにおいて、液晶セルの中の液晶分子を透過する光線の透過率は、液晶分子の配列方向によって決められる。例えば、ねじれネマチック（twist  nematic,ＴＮ）型の液晶ディスプレイにおいて、液晶分子が傾斜状態を呈したとき、光の入射方向は各種異なる反射率の影響を受ける。液晶ディスプレイの機能（functionality）は複屈折効果（birefringence  effect）に頼るため、光線の透過率は観察する角度によって変化する。この光線の透過率の違いによって、液晶ディスプレイを見る最適な角度が狭い視野角に制限されてしまう。液晶ディスプレイの視野角が制限されることは、液晶ディスプレイの最大の欠点の一つであり、液晶ディスプレイの応用を制限する主な要因でもある。
【０００４】
すでに、例えばインプレーンスイッチング（in-plane  switching,ＩＰＳ）モードおよびマルチドメイン垂直配向（multi-domain  vertical  alignments,ＭＶＡ）など、液晶ディスプレイの視野角を広げるいくつかの方法が知られている。インプレーンスイッチングモードは、櫛状のインターデジタル電極（comb-like  inter-digitized  electrodes）によって基板の平面内に電界を発生し、液晶分子を基板に沿って配向させることで広視野角を実現するものであり、広視野角モニターまたはその他の用途に用いられている。しかし、インプレーンスイッチングモードは広視野角を実現することはできるが、高電圧及び低開口率（aperture  ratio）を必要とする。また、インプレーンスイッチングモードには、その平面の電界構造に起因する深刻な残像現象の問題がある。またマルチドメイン垂直配向は、突起構造により液晶分子をそれぞれ異なる方向に傾斜させるものである。しかし、マルチドメイン垂直配向は、製造プロセスにおいてフォトリソグラフィー（photolithography）のステップを余分に必要とする。
【０００５】
従って、依然として上述したような欠陥を解決する需要がある。
【発明の概要】
【発明が解決しようとする課題】
【０００６】
本発明の目的は、カラーウォッシュアウト（color  washout）を改善する液晶ディスプレイパネルを提供することにある。
【課題を解決するための手段】
【０００７】
本発明の１つの態様は、カラーウォッシュアウトを改善する液晶ディスプレイパネルに関する。１つの実施例において、該液晶ディスプレイパネルは、マトリクス状に配列される複数の画素｛Ｐｎ，ｍ｝（ただしｎ＝１,２,…,Ｎ、ｍ＝１,２,…,Ｍであり、かつＮおよびＭは０より大きい整数である）を含み、各画素Ｐｎ，ｍは、少なくとも副画素電極をそれぞれ有する第１の副画素Ｐｎ，ｍ（１）および第２の副画素Ｐｎ，ｍ（２）を含む。
【０００８】
１つの実施例において、画素Ｐｎ，ｍに表示される画像のグレースケール値ｇは、グレースケール電圧と関連しており、グレースケール電圧を画素Ｐｎ，ｍに印加するとき、これら複数の画素｛Ｐｎ，ｍ｝は、画素Ｐｎ，ｍの第１および第２の副画素の副画素電極に電位差ΔＶ１２（ｇ）が生じるように配置され、なお、前記電位差ΔＶ１２（ｇ）は、グレースケール値ｇに伴って変化し、（ｉ）グレースケールｇが０からｇａの範囲内にあるとき、グレースケール値ｇの電位差ΔＶ１２（ｇ）がグレースケール値（ｇ＋１）の電位差ΔＶ１２（ｇ＋１）より小さく、かつ（ｉｉ）グレースケール値ｇがｇｂからＲの範囲内にあるとき、グレースケール値ｇの電位差ΔＶ１２（ｇ）がグレースケール値（ｇ＋１）の電位差ΔＶ１２（ｇ＋１）より大きい（ただしｇ＝０,１,２,…,Ｒであってｈビットで表現される画像のグレースケールに対応し、ｈは０より大きい整数、Ｒ＝（２ｈ−１）であり、０＜ｇａ≦ｇｂ＜Ｒであり、かつｇａおよびｇｂはいずれも０より大きい整数である）。
【０００９】
上記液晶ディスプレイパネルは、共通電極と、列方向に配列される複数の走査線｛Ｇｎ｝（ただしｎ＝１,２,…,Ｎである）と、および複数の走査線｛Ｇｎ｝と交差し、かつ列方向に垂直な行方向に配列される複数のデータ線｛Ｄｍ｝（ただしｍ＝１,２,…,Ｍである）と、をさらに含み、各画素Ｐｎ，ｍは隣り合う２本の走査線（ＧｎおよびＧｎ＋１）と隣り合う２本のデータ線（ＤｍおよびＤｍ＋１）との間に位置する。
【００１０】
１つの実施例において、画素Ｐｎ，ｍの各第１の副画素Ｐｎ，ｍ（１）および第２の副画素Ｐｎ，ｍ（２）は、副画素電極と共通電極との間に電気的且つ並列に接続される液晶コンデンサおよび蓄積コンデンサ、ならびに、走査線Ｇｎに電気的に接続されるゲート、副画素電極に電気的に接続されるソース、およびドレインを有するトランジスタをさらに含む。
【００１１】
さらに、本発明は液晶ディスプレイパネルに関する。１つの実施例において、該液晶ディスプレイパネルは、マトリクス状に配列される複数の画素｛Ｐｎ，ｍ｝（ただしｎ＝１,２,…,Ｎ、ｍ＝１,２,…,Ｍであり、かつＮおよびＭは０より大きい整数である）を含み、各画素Ｐｎ，ｍは、副画素電極をそれぞれ有する第１の副画素Ｐｎ，ｍ（１）および第２の副画素Ｐｎ，ｍ（２）を少なくとも含む。画素に表示される画像のグレースケール値ｇはグレースケール電圧と関連し、複数の画素｛Ｐｎ，ｍ｝は、グレースケール電圧が画素Ｐｎ，ｍに印加されるとき、画素Ｐｎ，ｍの第１および第２の副画素の副画素電極に電位差ΔＶ１２（ｇ）が生じ、且つ、グレースケール値ｇに伴って変化する。即ち、（ｉ）グレースケール値ｇが０からｇａの範囲にあるときにグレースケール値ｇの電位差ΔＶ１２（ｇ）が定電圧Ｖａを有し、（ｉｉ）グレースケール値ｇがｇａからｇｂの範囲にあるときにグレースケール値ｇの電位差ΔＶ１２（ｇ）が定電圧Ｖｂを有し、かつ（ｉｉｉ）グレースケール値ｇがｇｂからＲの範囲にあるときにグレースケール値ｇの電位差ΔＶ１２（ｇ）が定電圧Ｖｃを有する（ただしｇ＝０,１,２,…,Ｒであってｈビットで表示される画像のグレースケール値の階調に対応し、ｈは０より大きい整数、Ｒ＝（２ｈ−１）である。さらに、０＜ｇａ≦ｇｂ＜Ｒであり、ｇａおよびｇｂはいずれも０より大きい整数である）。
【００１２】
さらに、本発明は液晶ディスプレイパネルに関する。１つの実施例において、該液晶ディスプレイパネルは、マトリクス状に配列される複数の画素｛Ｐｎ，ｍ｝（ただしｎ＝１,２,…,Ｎ、ｍ＝１,２,…,Ｍであり、かつＮおよびＭは０より大きい整数である）を含み、各画素Ｐｎ，ｍが副画素電極をそれぞれ有する第１の副画素Ｐｎ，ｍ（１）および第２の副画素Ｐｎ，ｍ（２）を少なくとも含む。１つの実施例において、画素に表示される画像のグレースケール値ｇはグレースケール電圧と関連し、複数の画素｛Ｐｎ，ｍ｝は、グレースケール電圧が画素Ｐｎ，ｍに印加されるとき、画素Ｐｎ，ｍの第１および第２の副画素の副画素電極に電位差ΔＶ１２（ｇ）が生じると共に、該電位差が画素に表示される画像のグレースケール値ｇに伴って変化するように構成される（ただしｇ＝０,１,２,…,Ｒであってｈビットで表示される画像のグレースケール値の階調に対応し、ｈは０より大きい整数、Ｒ＝（２ｈ−１）である）。
【００１３】
また、本発明は、カラーウォッシュアウト（color washout）を改善する液晶ディスプレイパネルの駆動方法に関する。１つの実施例において、該方法は、液晶ディスプレイパネルを提供することを含む。該ディスプレイパネルはマトリクス状に配列される複数の画素｛Ｐｎ，ｍ｝（ただしｎ＝１,２,…,Ｎ、ｍ＝１,２,…,Ｍであり、かつＮおよびＭは０より大きい整数である）を含む。更に、該方法は、各画素Ｐｎ，ｍは、それぞれ副画素電極を有する第１の副画素Ｐｎ，ｍ（１）および第２の副画素Ｐｎ，ｍ（２）を少なくとも含む。各画素の第１および第２の副画素の副画素電極に、画素に表示される画像のグレースケール値ｇに伴って変化する電位差ΔＶ１２（ｇ）が生じるように、液晶ディスプレイパネルに複数の駆動信号を印加すること（ただしｇ＝０,１,２,…,Ｒであってｈビットで表現される画像のグレースケールに対応し、ｈは０より大きい整数であり、かつＲ＝（２ｈ−１）である）も含む。
【００１４】
上記駆動方法の１つの実施例において、画素Ｐｎ，ｍの第１および第２の副画素の副画素電極に生じる電位差ΔＶ１２（ｇ）は次の関係を満たす。
【００１５】
（１）．０≦ｇ≦ｇａであるとき、ΔＶ１２（ｇ）＜ΔＶ１２（ｇ＋１）、かつ
（２）．ｇｂ≦ｇ≦Ｒであるとき、ΔＶ１２（ｇ）＞ΔＶ１２（ｇ＋１）である
（ただし０＜ｇａ≦ｇｂ＜Ｒであり、ｇａおよびｇｂはいずれも０より大きい整数である）。
【００１６】
上記駆動方法の別の実施例において、電位差ΔＶ１２（ｇ）は次の関係を満たす。
【００１７】
（ｉ）．０≦ｇ≦ｇａであるとき、ΔＶ１２（ｇ）＝Ｖａ、
（ｉｉ）．ｇａ≦ｇ≦ｇｂであるとき、ΔＶ１２（ｇ）＝Ｖｂ、かつ
（ｉｉｉ）．ｇｂ≦ｇ≦Ｒであるとき、ΔＶ１２（ｇ）＝Ｖｃである
（ただし０＜ｇａ≦ｇｂ＜Ｒ、ｇａおよびｇｂはいずれも０より大きい整数であり、Ｖａ、ＶｂおよびＶｃは定電圧であり、かつＶａ＞Ｖｂ＞Ｖｃである）。
【発明の効果】
【００１８】
本発明によれば、液晶ディスプレイ装置のカラーウォッシュアウト（color  washout）の問題が解消される。
【図面の簡単な説明】
【００１９】
【図１】本発明の実施例による液晶ディスプレイパネルの一部の等価回路を示すブロック図である。
【図２】（ａ）は本発明の実施例による液晶ディスプレイパネルに印加される駆動信号を示す波形図である。（ｂ）は液晶ディスプレイパネルのレイアウトを示す略図であり、ゲート線Ｇ１およびＧ２に電気的に接続されるトランジスタはオンであって、ゲート線Ｇ３に電気的に接続されるトランジスタはオフである。
【図３】（ａ）は図２（ｂ）の液晶ディスプレイパネルに印加される駆動信号を示す波形図である。（ｂ）は液晶ディスプレイパネルのレイアウトを示す略図であり、ゲート線Ｇ１に電気的に接続されるトランジスタはオンであって、ゲート線Ｇ２およびＧ３に電気的に接続されるトランジスタはオフである。
【図４】（ａ）は図２（ｂ）の液晶ディスプレイパネルに印加される駆動信号を示す波形図である。（ｂ）は液晶ディスプレイパネルのレイアウトを示す略図であり、ゲート線Ｇ１に電気的に接続されるトランジスタはオフであって、ゲート線Ｇ２およびＧ３に電気的に接続されるトランジスタはオンである。
【図５】（ａ）は図２（ｂ）の液晶ディスプレイパネルに印加される駆動信号を示す波形図である。（ｂ）は液晶ディスプレイパネルのレイアウトを示す略図であり、ゲート線Ｇ１およびＧ３に電気的に接続されるトランジスタはオフであって、ゲート線Ｇ２に電気的に接続されるトランジスタはオンである。
【図６】（ａ）は本発明の実施例による液晶ディスプレイパネルの画素に画像を表示する為に、液晶ディスプレイパネルの画素の第１および第２の副画素電極の電圧とグレースケール値との関係を表すシミュレーション結果を示す図である。（ｂ）は本発明の実施例による液晶ディスプレイパネルの画素に画像を表示する為に、液晶ディスプレイパネルの画素の第１および第２の副画素電極の電圧とグレースケール値との関係表す実験結果を示す図である。
【図７】（ａ）は図６の実施例による液晶ディスプレイパネルにおいて、画素の第１の副画素電極の電圧と第２の副画素電極の電圧との関係を表すシミュレーション結果を示す図である。（ｂ）は図６の実施例による液晶ディスプレイパネルにおいて、画素の第１の副画素電極の電圧と第２の副画素電極の電圧との関係を表す実験結果を示す図である。
【図８】（ａ）は図６の実施例による液晶ディスプレイパネルにいて、画素の第１及び第２の副画素電極の電圧差とグレースケール値との関係を表すシミュレーション結果を示す図である。（ｂ）は図６の実施例による液晶ディスプレイパネルにいて、画素の第１及び第２の副画素電極の電圧差とグレースケール値との関係を表す実験結果を示す図である。
【図９】（ａ）は図６の実施例による液晶ディスプレイパネルのガンマ曲線を表すシミュレーション結果を示す図である。（ｂ）は図６の実施例による液晶ディスプレイパネルのガンマ曲線を表す実験結果を示す図である。
【図１０】本発明の実施例による液晶ディスプレイパネルの画素に画像を表示する為に、液晶ディスプレイパネルの画素の第１および第２の副画素電極の電圧とグレースケール値との関係を表すシミュレーション結果を示す図である。
【図１１】図１０の実施例による液晶ディスプレイパネルにおいて、画素の第１の副画素電極の電圧と第２の副画素電極の電圧との関係を表すシミュレーション結果を示す図である。
【図１２】図１０の実施例による液晶ディスプレイパネルにおいて、画素に画像を表示する為に、液晶ディスプレイパネルの画素の第１および第２の副画素電極の電圧差とグレースケール値との関係を表すシミュレーション結果を示す図である。
【図１３】図１０の実施例による液晶ディスプレイパネルのガンマ曲線を表すシミュレーション結果を示す図である。
【発明を実施するための形態】
【００２０】
上述した本発明の目的、特徴および長所がより明確に判るよう、以下に好適な実施例を挙げ、図面を参照しながら、本発明をより詳細に説明する。図面において同じ符合は同じ構成要素を示す。以下の説明を読めば、当業者は容易に変更および変形を加えることができる。
【００２１】
以下に実施例を挙げ、図面を参照しながら本発明を詳細に説明する。よって、当業者であれば、変更および修飾を行うことができる。本発明の各種実施例を以下に詳述する。説明する過程において、全図面における同じ符号は同じ構成要素を示している。
【００２２】
ここで用いられる“ガンマ（gamma）”および／または“ガンマ曲線（gamma  curve）”という用語は、画像表示システムの輝度特性を言う。例えば、液晶ディスプレイ装置の光線透過率対グレースケール値の特性を示す。ガンマは、単一の数値パラメータで該画像表示システムのグレースケールと輝度間の非線形関係を要約するものである。
【００２３】
グレースケールという用語は、画像の（不連続な）灰色の階調、または画像に対し観察される光線の量を表す。画像の輝度をｈビット（ｈは０より大きい整数である）のグレースケールで表すと、グレースケールは黒を表す０から白を表す（２ｈ−１）の値をとり、中間の値は光線の透過率によるグレースケールの階調を表す。液晶ディスプレイ装置において、液晶を透過する光線の量によりグレースケールを表す。
【００２４】
本明細書に用いられる“グレースケール電圧”および“駆動電圧”という用語は、データドライバが生成する電圧のことを言い、液晶ディスプレイ装置の特定の領域または画素の駆動に用いられ、且つ液晶ディスプレイ装置の特定の領域または画素に表示される画像フレームのグレースケールに対応している。
【００２５】
本明細書に用いられる“光線の透過率（light  transmittance）／透過率（transmission）”、および“輝度（luminance）”という用語は、本明細書では同義の用語であって、液晶ディスプレイ装置の特定の領域を透過する光線の量のことを表す。
【００２６】
液晶ディスプレイパネルの液晶セルにおいて、液晶分子の配向によって透過する光線の透過率を決めることはすでに公知されている。例えば、ねじれネマチック（twist  nematic,ＴＮ）型の液晶ディスプレイにおいて、液晶分子が傾斜状態を呈したとき、光の入射方向は各種異なる反射率の影響を受ける。液晶ディスプレイの機能（functionality）は複屈折効果（birefringence  effect）に依るため、光線の透過率は見る角度によって変わる。このような光線の透過率の違いにより、液晶ディスプレイを見る最適な角度が狭い視野角に制限されてしまう。また、液晶ディスプレイパネルにおいて、異なるグレースケール値に対し、液晶の応答時間（response  time）がそれぞれ異なる。例えば、８ビットのデータ信号では通常、グレースケール値が２５５のときの応答時間が、他のグレースケール値のときと比べ短い。液晶ディスプレイパネルの異なる領域における異なるグレースケール値にとって、その異なるグレースケール値における応答時間の違いが、ガンマ曲線のずれ（deviations）を生じることがある。
【００２７】
よって、本発明は更にカラーシーケンシャル（color-sequential）液晶ディスプレイ装置の欠点を克服する方法を提供する。
【００２８】
以下に本発明の各実施例について、図１〜１３を参照しながら説明する。以上で開示および記載したように本発明の目的により、本発明の１つの態様は、カラーウォッシュアウトを改善する液晶ディスプレイパネルに関する。１つの実施例において、該液晶ディスプレイパネルは、マトリクス状に配列される複数の画素を含む。各画素は、少なくとも第１の副画素と第２の副画素を含んでおり、該第１及び第２の副画素はそれぞれ副画素電極を有する。画素に表示される画像のグレースケール値ｇはグレースケール電圧と関連しており、複数の画素は、グレースケール電圧が画素に印加されるとき、画素の第１および第２の副画素の副画素電極に電位差が生じ、且つ、画素に示される画像のグレースケール値ｇに伴って変化するように構成される（ただしｇ＝０,１,２,…,Ｒであってｈビットで表現される画像のグレースケールに対応し、ｈは０より大きい整数である）。画素の第１および第２の副画素の副画素電極に生じる電位差によって、画素の第１および第２の副画素中の液晶分子は異なる配向を持つようになり、これにより液晶ディスプレイパネルのカラーウォッシュアウトが改善される。
【００２９】
図１は、本発明の実施例による液晶ディスプレイパネルの一部を示すブロック図である。液晶ディスプレイパネル１００は、共通電極１６０と、列（走査）方向１３０に配列される複数の走査線Ｇ１,Ｇ２,…,Ｇｎ−１,Ｇｎ,Ｇｎ＋１,…,ＧＮと、複数の走査線Ｇ１,Ｇ２,…,Ｇｎ−１,Ｇｎ,Ｇｎ＋１,…,ＧＮと交差し、かつ列方向１３０に垂直な行方向１４０に配列される複数のデータ線Ｄ１,Ｄ２,…,Ｄｍ−１,Ｄｍ,Ｄｍ＋１,…,ＤＭと、を含む。ＮおよびＭは０より大きい整数である。液晶ディスプレイパネル１００はさらに、マトリクス状に配列される複数の画素｛Ｐｎ，ｍ｝１１０を含む。各画素Ｐｎ，ｍ１１０は隣り合う２本の走査線（ＧｎおよびＧｎ＋１）と隣り合う２本のデータ線（ＤｍおよびＤｍ＋１）との間に位置する。本発明の実施例を説明するために、図１には液晶ディスプレイパネル１００の４本の走査線Ｇｎ−１,Ｇｎ,Ｇｎ＋１,およびＧｎ＋２、２本のデータ線ＤｍおよびＤｍ＋１、ならびに対応する３個の画素のみを示している。
【００３０】
さらに、各画素Ｐｎ，ｍ１１０は、２個またはそれ以上の副画素を備えるように構成されている。図１に示されるように、例えば、画素Ｐｎ，ｍ１１０は、隣り合う２本の走査線（ＧｎおよびＧｎ＋１）と、隣り合う２本の走査線（ＧｎおよびＧｎ＋１）に交差する隣り合う２本のデータ線（ＤｍおよびＤｍ＋１）との間に位置し、かつ第１の副画素Ｐｎ，ｍ（１）１１１ａおよび第２の副画素Ｐｎ，ｍ（２）１１１ｂを備える。第１の副画素Ｐｎ，ｍ（１）１１１ａおよび第２の副画素Ｐｎ，ｍ（２）１１１ｂのそれぞれは、副画素電極１１５ａ／１１５ｂと、液晶コンデンサ１１３ａ／１１３ｂと、蓄積コンデンサ１１４ａ／１１４ｂと、トランジスタ１１２／１１６と、を含む。各画素はｈビットの画像データを表示することができる。
【００３１】
画素Ｐｎ，ｍ１１０の第１の副画素Ｐｎ，ｍ（１）１１１ａの液晶コンデンサ１１３ａおよび蓄積コンデンサ１１４ａはいずれも、共通電極１６０と画素Ｐｎ，ｍ１１０の第１の副画素Ｐｎ，ｍ（１）１１１ａの副画素電極１１５ａとの間に電気的且つ並列に接続される。画素Ｐｎ，ｍ１１０の第１の副画素Ｐｎ，ｍ（１）１１１ａのトランジスタ１１２は、走査線Ｇｎに電気的に接続されるゲート１１２ｇ、画素Ｐｎ，ｍ１１０の第１の副画素Ｐｎ，ｍ（１）１１１ａの副画素電極１１５ａに電気的に接続されるソース１１２ｓ、およびデータ線Ｄｍに電気的に接続されるドレイン１１２ｄを有する。そして、画素Ｐｎ＋１，ｍの第２の副画素Ｐｎ＋１，ｍ（２）のトランジスタ１１６のドレイン１１６ｄは、画素Ｐｎ，ｍ１１０の第１の副画素Ｐｎ，ｍ（１）１１１ａの副画素電極１１５ａに電気的に接続される。
【００３２】
さらに、画素Ｐｎ，ｍ１１０の第２の副画素Ｐｎ，ｍ（２）１１１ｂの液晶コンデンサ１１３ｂおよび蓄積コンデンサ１１４ｂはいずれも、共通電極１６０と画素Ｐｎ，ｍ１１０の第２の副画素Ｐｎ，ｍ（２）１１１ｂの副画素電極１１５ｂとの間に電気的かつ並列に接続される。画素Ｐｎ，ｍ１１０の第２の副画素Ｐｎ，ｍ（２）１１１ｂのトランジスタ１１６は、走査線Ｇｎに電気的に接続されるゲート１１６ｇと、画素Ｐｎ，ｍ１１０の第２の副画素Ｐｎ，ｍ（２）１１１ｂの副画素電極１１５ｂに電気的に接続されるソース１１６ｓと、画素Ｐｎ−１，ｍの第１の副画素Ｐｎ−１，ｍ（１）の副画素電極１１５ａに電気的に接続されるドレイン１１６ｄと、を有する。
【００３３】
１つの実施例において、各画素Ｐｎ，ｍ１１０の第１の副画素Ｐｎ，ｍ（１）１１１ａおよび第２の副画素Ｐｎ，ｍ（２）１１１ｂの副画素電極１１５ａ／１１５ｂは、いずれも第１の基板（図示せず）上に設置され、共通電極１６０は第１の基板と異なる第２の基板（図示せず）上に設置される。液晶分子は第１と第２の基板との間のセル中に充填される。各セルは液晶ディスプレイパネル１００の各画素Ｐｎ，ｍ１１０と関連している。液晶セルにおいて、対応する副画素電極に供給される電圧（電位）により、液晶分子の配向をコントロールする。
【００３４】
１つの実施例において、トランジスタ１１２およびトランジスタ１１６は電界効果トランジスタ（field effect TFT）であり、それぞれ第１の副画素Ｐｎ，ｍ（１）１１１ａおよび第２の副画素Ｐｎ，ｍ（２）１１１ｂを動作させるのに用いられる。また、他のタイプのトランジスタを用いても本発明を実施することができる。走査線Ｇｎは、トランジスタ１１２のゲート１１２ｇおよびトランジスタ１１６のゲート１１６ｇに電気的に接続され、走査信号が印加されるとき、トランジスタ１１２およびトランジスタ１１６がオンされる。このとき、第１の副画素Ｐｎ，ｍ（１）１１１ａおよび第２の副画素Ｐｎ，ｍ（２）１１１ｂの液晶コンデンサ１１３ａ／１１３ｂおよび蓄積コンデンサ１１４ａ／１１４ｂに充電させることにより、対応するデータ線Ｄｍを介してデータ信号が第１の副画素Ｐｎ，ｍ（１）１１１ａおよび第２の副画素Ｐｎ，ｍ（２）１１１ｂに印加される。画素１１０の第１および第２の副画素１１１ａ／１１１ｂの液晶コンデンサ１１３ａ／１１３ｂの充電電位は、第１および第２の基板の間の対応する液晶セルに印加される電界を反映している。蓄積コンデンサ１１４ａおよび蓄積コンデンサ１１４ｂは、結合電圧をそれぞれ対応する液晶コンデンサ１１３ａ／１１３ｂに供給して、そこからの電荷の漏れ（charge leakage）を補償する。第１の副画素１１１ａおよび第２の副画素１１１ｂの蓄積コンデンサ１１４ａ／１１４ｂは同じであってもまたは実質的に異なるものであってもよい。
【００３５】
１つの実施例において、駆動信号は複数の走査信号、複数のデータ信号および共通信号を含む。図１に示す液晶ディスプレイパネル１００において、走査信号を走査線Ｇｎに供給して、走査線Ｇｎに接続している対応のトランジスタ１１２および１１６をオンにするとき、複数のデータ信号を複数のデータ線｛Ｄｍ｝に同時に供給して、該画素列の各画素に対応させることで、液晶コンデンサ１１３ａ／１１３ｂおよび蓄積コンデンサ１１４ａ／１１４ｂを充電し、これにより画素Ｐｎ，ｍ１１０の第１の副画素Ｐｎ，ｍ（１）１１１ａおよび第２の副画素Ｐｎ，ｍ（２）１１１ｂにそれぞれ対応する液晶セルの状態を調整して、光線の透過率をコントロールする。よって、画素Ｐｎ，ｍの第１の副画素Ｐｎ，ｍ（１）の副画素電極１１５ａと画素Ｐｎ＋１，ｍの第２の副画素Ｐｎ＋１，ｍ（２）の副画素電極１１５ｂとが連結するため、第１の副画素Ｐｎ，ｍ（１）１１１ａの副画素電極１１５ａに発生する電圧Ｖｐ１と、第２の副画素Ｐｎ，ｍ（２）１１１ｂの副画素電極１１５ｂに発生する電圧Ｖｐ２とが異なるものとなる。言い換えれば、画素Ｐｎ，ｍの第１の副画素Ｐｎ，ｍ（１）および第２の副画素Ｐｎ，ｍ（２）に関連する液晶分子は、画素Ｐｎ，ｍの第１の副画素Ｐｎ，ｍ（１）の副画素電極１１５ａと、第２の副画素Ｐｎ＋１，ｍ（２）の副画素電極１１５ｂとの電圧差ΔＶ１２＝（Ｖｐ２−Ｖｐ１）に応じて、異なる方向に配向される。
【００３６】
実際には、複数のデータ信号は複数のグレースケール電圧を含む。各グレースケール電圧は、画素Ｐｎ，ｍに表示される画像のグレースケール値ｇに関連している。ｇ＝０,１,２…,Ｒであって、ｈビットで表現される画像のグレースケールに対応しており、ｈは０より大きい整数であり、かつＲ＝（２ｈ−１）である。グレースケール電圧を画素Ｐｎ，ｍに印加するとき、画素の第１および第２の副画素の副画素電極に電位差ΔＶ１２＝（Ｖｐ２−Ｖｐ１）が生じ、この電位差はグレースケール値ｇに伴って変化する。１つの実施例において、画素Ｐｎ，ｍの第１の副画素Ｐｎ，ｍ（１）および第２の副画素Ｐｎ，ｍ（２）の副画素電極１１５ａ／１１５ｂに生じる電位差ΔＶ１２（ｇ）は次の関係を満たす。
【００３７】
（１）．０≦ｇ≦ｇａであるとき、ΔＶ１２（ｇ）＜ΔＶ１２（ｇ＋１）、かつ
（２）．ｇｂ≦ｇ≦Ｒであるとき、ΔＶ１２（ｇ）＞ΔＶ１２（ｇ＋１）である
（ただし０＜ｇａ≦ｇｂ＜Ｒであり、ｇａおよびｇｂはいずれも０より大きい整数である）。
【００３８】
別の実施例において、電位差ΔＶ１２（ｇ）は次の関係を満たす。
【００３９】
（ｉ）．０≦ｇ≦ｇａであるとき、ΔＶ１２（ｇ）＝Ｖａ、
（ｉｉ）．ｇａ≦ｇ≦ｇｂであるとき、ΔＶ１２（ｇ）＝Ｖｂ、かつ
（ｉｉｉ）．ｇｂ≦ｇ≦Ｒであるとき、ΔＶ１２（ｇ）＝Ｖｃである
（ただし０＜ｇａ≦ｇｂ＜Ｒであり、ｇａおよびｇｂはいずれも０より大きい整数である。またＶａ、ＶｂおよびＶｃは定電圧（constant voltage）であり、かつＶａ＞Ｖｂ＞Ｖｃである）。
【００４０】
本発明のもう一つの態様は液晶ディスプレイパネルに関する。該液晶ディスプレイパネルは、共通電極と、列方向に配列する複数の走査線Ｇ１,Ｇ２,…,Ｇｎ−１,Ｇｎ,Ｇｎ＋１,…,ＧＮと、複数の走査線Ｇ１,Ｇ２,…,Ｇｎ−１,Ｇｎ,Ｇｎ＋１,…,ＧＮに交差し、かつ列方向に垂直な行方向に配列する複数のデータ線Ｄ１,Ｄ２,…,Ｄｍ−１,Ｄｍ,Ｄｍ＋１,…,ＤＭと、マトリクス状に配列する複数の画素｛Ｐｎ，ｍ｝１１０と、を含む。ＮおよびＭは０より大きい整数である。各画素Ｐｎ，ｍは、少なくとも第１の副画素Ｐｎ，ｍ（１）および第２の副画素Ｐｎ，ｍ（２）を含む。第１の副画素Ｐｎ，ｍ（１）および第２の副画素Ｐｎ，ｍ（２）の各々は、副画素電極と、副画素電極と共通電極との間に電気的かつ並列に接続される液晶コンデンサおよび蓄積コンデンサと、走査線Ｇｎに電気的に接続されるゲート、副画素電極に電気的に接続されるソース、およびドレインを有するトランジスタと、を含む。
【００４１】
１つの実施例において、画素Ｐｎ，ｍの第１の副画素Ｐｎ，ｍ（１）のトランジスタのドレインはデータ線Ｄｍに電気的に接続され、画素Ｐｎ，ｍの第２の副画素Ｐｎ，ｍ（２）のトランジスタのドレインは画素Ｐｋ，ｍの第１の副画素Ｐｋ，ｍ（１）の副画素電極に電気的に接続される（ただしｋ＝ｎ+１またはｎ−１、かつｋ＝１,２,…,Ｎ、かつＮは０より大きい整数である）。図１の示す実施例において、ｋ＝ｎ−１である。
【００４２】
別の実施例において、画素Ｐｎ，ｍの第２の副画素Ｐｎ，ｍ（２）のトランジスタのドレインは、データ線Ｄｍに電気的に接続され、画素Ｐｎ，ｍの第１の副画素Ｐｎ，ｍ（１）のトランジスタのドレインは画素Ｐｋ，ｍの第２の副画素Ｐｋ，ｍ（２）の副画素電極に電気的に接続される（ただしｋ＝ｎ+１またはｎ−１、かつｋ＝１,２,…,Ｎ、かつＮは０より大きい整数である）。
【００４３】
図２〜５は、本発明の実施例による液晶ディスプレイパネル２００において、液晶ディスプレイパネル２００に印加される駆動信号、及び対応する副画素電極２１５ａおよび２１５ｂへの充電を示す波形図である。この実施例では、液晶ディスプレイパネル２００の一部である３×３個の画素について例示しており、例えば、３×３個の画素のマトリクスにおける１行目に示す画素がそれぞれＰ１，１、Ｐ２，１およびＰ３，１である。各画素は、第１の副画素電極２１５ａ、第２の副画素電極２１５ｂ、第１のトランジスタ（スイッチング素子）２１２および第２のトランジスタ（スイッチング素子）２１６を備え、各トランジスタ２１２および２１６は、それぞれゲート、ソースおよびドレインを有している。各画素の第１のトランジスタ２１２および第２のトランジスタ２１６のゲートは、いずれも該画素を定義する対応の走査線（例えばＧ１、Ｇ２またはＧ３）に電気的に接続される。各画素の第１のトランジスタ２１２および第２のトランジスタ２１６のソースは、それぞれ該画素の第１の副画素電極２１５ａおよび第２の副画素電極２１５ｂに電気的に接続される。各画素の第２のトランジスタ２１６のドレインは、該画素を定義する対応のデータ線（例えばＤ１またはＤ２）に電気的に接続され、各画素の第１のトランジスタ２１２のドレインは、同じ行における隣り合う画素の副画素電極２１５ｂに電気的に接続される。例えば、図２〜５に示すように、画素Ｐ１，１の第１のトランジスタ２１２のドレインは、画素Ｐ２，１の副画素電極２１５ｂに電気的に接続され、画素Ｐ２，１の第１のトランジスタ２１２のドレインは、画素Ｐ３，１の副画素電極２１５ｂに電気的に接続される。以降についてはこれに基づいて類推する。
【００４４】
この実施例において、駆動信号２０１は、走査線Ｇ１、Ｇ２およびＧ３に順次供給される３組の走査信号２７１、２７２および２７３と、同時にデータ線Ｄ１およびＤ２に供給される２組のデータ信号２８１および２８２と、共通電極（図示せず）に供給される共通信号Ｖｃｏｍ２９０と、を含む。走査信号２７１、２７２および２７３の各々は、対応する画素列の対応のトランジスタを有効にオンおよびオフするための高電位（high  voltage  potential）Ｖｈおよび低電位（low  voltage  potential）Ｖｌを有するように構成される。共通信号Ｖｃｏｍ２９０は定電位（電圧）を有する。データ信号２８１および２８２の生成は、これら画素に表示される画像により決められる。データ信号２８１および２８２が対応する画素に印加されるとき、画素の第１の副画素電極２１５ａおよび第２の副画素電極２１５ｂの間に電位（電圧）差が生じ、該電位差は、グレースケール値の関数であって、画像の表示に用いられる。
【００４５】
図２に示されるように、（ｔ１−ｔ０）の期間２２１において、走査線Ｇ１およびＧ２に電気的に接続されたトランジスタ２１２および２１６はオンであって、一方、走査線Ｇ３に電気的に接続されたトランジスタ２１２および２１６はオフである。よって、データ信号２８１を画素Ｐ１，１およびＰ２，１の第２のトランジスタ２１６のドレインへ直接印加することにより、画素Ｐ１，１およびＰ２，１の第２の副画素電極２１５ｂに電位（電圧）Ｖｐ２が生じる。そして、画素Ｐ１，１の第１のトランジスタ２１２のドレインに、画素Ｐ２，１の第２の副画素電極２１５ｂに生じた電圧Ｖｐ２を印加することで、画素Ｐ１，１の第１の副画素電極２１５ａに電位（電圧）Ｖｐ１が生じる。後者の充電のプロセスは矢印２１８ａの示すとおりである。この場合、画素Ｐ１，１の第１の副画素電極２１５ａおよび第２の副画素電極２１５ｂに電圧差ΔＶ１２（Ｖｐ２−Ｖｐ１）が生じる。
【００４６】
図３に示すように、（ｔ２−ｔ１）の期間２２２において、走査線Ｇ１に電気的に接続されるトランジスタ２１２および２１６はオンであって、一方、走査線Ｇ２およびＧ３に電気的に接続されるトランジスタ２１２および２１６はオフである。よって、データ信号２８１を画素Ｐ１，１の第２のトランジスタ２１６のドレインへ直接印加することにより、画素Ｐ１，１の第２の副画素電極２１５ｂに電位（電圧）Ｖｐ２が生じる。また、画素Ｐ２，１のトランジスタ２１６はオフであるため、画素Ｐ１，１の第１の副画素電極２１５ａには電圧が生じない。画素Ｐ１，１の第２の副画素電極２１５ｂの充電プロセスは矢印２１８ｂの示すとおりである。したがって、画素Ｐ１，１の第１の副画素電極２１５ａおよび第２の副画素電極２１５ｂの電圧差ΔＶ１２はＶｐ２に対応している。
【００４７】
図４に示すように、（ｔ３−ｔ２）の期間２２３において、走査線Ｇ２およびＧ３に電気的に接続されるトランジスタ２１２および２１６はオンであって、走査線Ｇ１に電気的に接続されるトランジスタ２１２および２１６はオフである。よって、データ信号２８１を画素Ｐ２，１および画素Ｐ３，１の第２のトランジスタ２１６のドレインへ直接印加することにより、画素Ｐ２，１および画素Ｐ３，１の第２の副画素電極２１５ｂに電位（電圧）Ｖｐ２が生じる。そして、画素Ｐ２，１の第１のトランジスタ２１２のドレインに、画素Ｐ３，１の第２の副画素電極２１５ｂに生じた電圧Ｖｐ２を印加することにより、画素Ｐ２，１の第１の副画素電極２１５ａに電位（電圧）Ｖｐ１が生じる。後者の充電プロセスは矢印２１８ｃの示すとおりである。この場合、画素Ｐ２，１の第１の副画素電極２１５ａおよび第２の副画素電極２１５ｂの電圧差ΔＶ１２は（Ｖｐ２−Ｖｐ１）に対応する。
【００４８】
図５に示すように、（ｔ４−ｔ３）の期間２２４において、走査線Ｇ２に電気的に接続されるトランジスタ２１２および２１６はオンであって、走査線Ｇ１およびＧ３に電気的に接続されたトランジスタ２１２および２１６はオフである。よって、データ信号２８１を画素Ｐ２，１の第２のトランジスタ２１６のドレインに直接印加することにより、画素Ｐ２，１の第２の副画素電極２１５ｂに電位（電圧）Ｖｐ２が生じる。また、画素Ｐ３，１のトランジスタ２１６はオフであるため、画素Ｐ２，１の第１の副画素電極２１５ａに電圧は生じない。画素Ｐ２，１の第２の副画素電極２１５ｂの充電プロセスは矢印２１８ｄの示すとおりである。したがって、画素Ｐ２，１の第１の副画素電極２１５ａおよび第２の副画素電極２１５ｂの電圧差ΔＶ１２はＶｐ２に対応する。
【００４９】
図２〜図５の実施例において、画素の第１の副画素電極２１５ａは区域Ａ１を有し、第２の副画素電極２１５ｂは区域Ａ２を有する。１つの実施例では、Ａ１／Ａ２の比率は０．２から５．０の間である。
【００５０】
図６は、本発明の実施例によるシミュレーションおよび実験結果であって、液晶ディスプレイパネルにおける画素の第１および第２の副画素電極の電圧Ｖｐ１およびＶｐ２とグレースケール値との関係を説明し、該グレースケール値は、液晶ディスプレイパネルの対応の画素に画像を表示させ、なお、区域比率Ａ１／Ａ２は１／１．６であって、グレースケールは８ビットで表示される。図６において、Ｖｐ’１＝Ｖｐ１−ＶｃｏｍかつＶｐ’２＝Ｖｐ２−Ｖｃｏｍであり、中で、Ｖｃｏｍは共通電極に印加される電圧である。画素の第１および第２の副画素電極の電圧差はΔＶ１２＝（Ｖｐ’２−Ｖｐ’１）＝（Ｖｐ２−Ｖｐ１）と表すことができる。図７は、図６に示す本発明の実施例によるシミュレーションおよび実験結果を示し、液晶ディスプレイパネルの画素の第１および第２の副画素電極の電圧Ｖｐ１とＶｐ２との関係を説明する。この実施例では、含まれる第１の副画素電極が、より低い電圧およびより大きい区域を持つ。
【００５１】
よって、図８に示すように、画素の第１および第２の副画素電極の電圧差ΔＶ１２はグレースケール値に伴って変化する。グレースケール値ｇが０からｇａへと増加するとき、電圧差ΔＶ１２もこれに伴って増加し、すなわちΔＶ１２（ｇ）＜ΔＶ１２（ｇ＋１）となる（ただし０≦ｇ≦ｇａである）。また、グレースケール値ｇがｇｂからＲ＝２５５へと増加するとき、電圧差ΔＶ１２はこれに伴って低下し、すなわちΔＶ１２（ｇ）＞ΔＶ１２（ｇ＋１）となる（ただしｇｂ≦ｇ≦Ｒである）。ｇａおよびｇａより大きいｇｂはいずれも、０より大きくかつＲより小さく、液晶の特性および第１の副画素電極と第２の副画素電極の区域の比率によって変わることができる。
【００５２】
図９は液晶ディスプレイパネルのガンマ曲線を説明するシミュレーションおよび実験結果であり、ここでＧａｍｍａ_０は２．４に設定されており、かつ含まれる第１の副画素電極がより低い電圧およびより大きい区域を持つ。図９（ａ）に示されるガンマ曲線のシミュレーション結果において区域比率はＡ１／Ａ２＝１／１．６であり、また図９（ａ）に示されるガンマ曲線の実験結果において、区域比率はＡ１／Ａ２＝１／１．２である。ガンマ曲線のシミュレーション結果において、グレースケール値ｇが０〜９６の範囲にあるとき、光線が第１の副画素を透過しないかまたは少量の光線のみが透過し（該グレースケールの範囲内のガンマ曲線は、曲線９１０で示されている）、またグレースケール値ｇが９６より大きいときには、大量の光線が第１の副画素を透過するように駆動信号を構成する。さらに、グレースケール値ｇが１７６〜２２５の範囲にあるとき、最大量の光線が第２の副画素を透過する（該グレースケールの範囲のガンマ曲線は曲線９２０で示している）。ｇ＜１７６のとき、第２の副画素の輝度は次第に低下する。
【００５３】
図１０および１２は、本発明の別の実施例による液晶ディスプレイパネルの画素の第１および第２の副画素電極の電圧Ｖｐ１およびＶｐ２ならびにその電圧差ΔＶ１２＝（Ｖｐ２−Ｖｐ１）と、液晶ディスプレイパネルの該画素に表示される画像のグレースケール値との関係を説明するシミュレーション結果を示している。画素の第１および第２の副画素電極の電圧差ΔＶ１２はグレースケール値ｇに伴って変化する。この実施例において、０≦ｇ≦ｇａであるとき、ΔＶ１２（ｇ）＝Ｖａであり、ｇａ≦ｇ≦ｇｂであるときΔＶ１２（ｇ）＝Ｖｂであって、ｇｂ≦ｇ≦ＲであるときΔＶ１２（ｇ）＝Ｖｃである。ここでＶａ＝１．２Ｖ、Ｖｂ＝１．１Ｖ、Ｖｃ＝０．８Ｖである。図１１は、液晶ディスプレイパネルの画素の第１および第２の副画素電極の電圧Ｖｐ１およびＶｐ２の関係を説明するシミュレーション結果を示している。図１３は液晶ディスプレイパネルのガンマ曲線のシミュレーション結果を示している。
【００５４】
本発明の１つの態様は、液晶ディスプレイパネルのカラーウォッシュアウト（color washout）を改善する方法を提供する。１つの実施例において、該方法はマトリクス状に配列される複数の画素｛Ｐｎ，ｍ｝（ただしｎ＝１,２,…,Ｎ、ｍ＝１,２,…,Ｍであり、かつＮおよびＭは０より大きい整数である）を有する液晶ディスプレイパネルを提供する工程を含む。各画素Ｐｎ，ｍは、少なくとも副画素電極を有する第１の副画素Ｐｎ，ｍ（１）と、副画素電極を有する第２の副画素Ｐｎ，ｍ（２）と、を含む。該方法は、各画素の第１および第２の副画素の副画素電極に電位差ΔＶ１２（ｇ）がそれぞれ生じるよう、複数の駆動信号を液晶ディスプレイパネルに印加する工程をさらに含み、該電位差は画素に表示される画像のグレースケール値ｇに伴って変化する（ただしｇ＝０,１,２,…,Ｒであってｈビットで表現される画像のグレースケールの階調に対応する。ｈは０より大きい整数であって、かつＲ＝（２ｈ−１）である）。
【００５５】
１つの実施例において、画素の第１および第２の副画素の副画素電極に生じる電位差ΔＶ１２（ｇ）はグレースケール値ｇに伴って変化する。即ち、（ｉ）グレースケール値ｇが０からｇａの範囲にあるとき、グレースケール値ｇの電位差ΔＶ１２（ｇ）がグレースケール値（ｇ＋１）の電位差ΔＶ１２（ｇ＋１）より小さく、かつ（ｉｉ）グレースケール値ｇがｇｂからＲの範囲にあるとき、グレースケール値ｇの電位差ΔＶ１２（ｇ）がグレースケール値（ｇ＋１）に対する電位差ΔＶ１２（ｇ＋１）より大きい、（ただし０＜ｇａ≦ｇｂ＜Ｒであり、ｇａおよびｇｂはいずれも０より大きい整数である）。
【００５６】
別の実施例において、電位差ΔＶ１２（ｇ）はグレースケール値ｇに伴って変化する。即ち、（ｉ）グレースケール値ｇが０からｇａの範囲にあるとき、グレースケール値ｇの電位差ΔＶ１２（ｇ）が定電圧Ｖａを有し、（ｉｉ）グレースケール値ｇがｇａからｇｂの範囲にあるとき、グレースケール値ｇの電位差ΔＶ１２（ｇ）が定電圧Ｖｂを有し、かつ（ｉｉｉ）グレースケール値ｇがｇｂからＲの範囲にあるとき、グレースケール値ｇの電位差ΔＶ１２（ｇ）が定電圧Ｖｃを有する。（ただしＶａ＞Ｖｂ＞Ｖｃである）。
【００５７】
以上、本発明の好適な実施例を挙げて説明したが、本発明はこれら実施例に限定されるものではない。当業者であれば、本発明の精神および範囲を逸脱しない限り、多少の変更や潤色を加えることができる。よって、本発明の保護範囲は添付の特許請求の範囲の記載を基準とする。
【符号の説明】
【００５８】
１００、２００                                  液晶ディスプレイパネル
Ｇｎ−１、Ｇｎ、Ｇｎ＋１、Ｇｎ＋２、Ｇ１、Ｇ２、Ｇ３     走査線
Ｄｍ、Ｄｍ＋１、Ｄ１、Ｄ２、Ｄ３                データ線
１１１ａ、１１１ｂ、Ｐｎ−１，ｍ、Ｐｎ，ｍ、    
Ｐｎ＋１，ｍ、Ｐ１，１、Ｐ２，１、Ｐ３，１      画素
１１３ａ、１１３ｂ                              液晶コンデンサ
１１４ａ、１１４ｂ                              蓄積コンデンサ
１１５ａ、１１５ｂ、２１５ａ、２１５ｂ          副画素電極
１１２、１１６、２１２、２１６                  トランジスタ
１６０                                          共通電極
【図１】
0005514885.tif 000002
【図２】
0005514885.tif 000003
【図３】
0005514885.tif 000004
【図４】
0005514885.tif 000005
【図５】
0005514885.tif 000006
【図６】
0005514885.tif 000007
【図７】
0005514885.tif 000008
【図８】
0005514885.tif 000009
【図９】
0005514885.tif 000010
【図１０】
0005514885.tif 000011
【図１１】
0005514885.tif 000012
【図１２】
0005514885.tif 000013
【図１３】
0005514885.tif 000014